(57)【要約】【課題】凝縮器用フィルターの清掃を手間をかけず簡単かつ迅速に行うことができる冷凍機内蔵型ショーケースを提供する。【解決手段】内部に商品陳列室を有するショーケース本体と、このショーケース本体の下部に配置されて内部に冷凍機ユニット５の一部である少なくとも凝縮器と送風機とを収容する架台３と、この架台３の正面に設けられて複数の通気孔７が形成された通気孔カバー６と、この通気孔カバー６の内側に着脱可能に取付けられる凝縮器用フィルター８と、を備え、凝縮器用フィルター８は、上下方向へスライド可能及び上端部が架台３の手前側に傾いた前傾姿勢で取付けられ、凝縮器用フィルター８の上端部に、この凝縮器用フィルター８をスライドさせて着脱する場合に杷持する把持部９が設けられている。【選択図】図２
2016109390.tif 000002
【特許請求の範囲】
【請求項１】
内部に商品陳列室を有するショーケース本体と、このショーケース本体の下部に配置されて内部に冷凍機ユニットの一部である少なくとも凝縮器と送風機とを収容する架台と、この架台の正面に設けられて複数の通気孔が形成された通気孔カバーと、この通気孔カバーの内側に着脱可能に取付けられる凝縮器用フィルターと、
を備え、
前記凝縮器用フィルターは、上下方向へスライド可能及び上端部が前記架台の手前側に傾いた前傾姿勢で取付けられ、前記凝縮器用フィルターの上端部に、この凝縮器用フィルターをスライドさせて着脱する場合に杷持する把持部が設けられていることを特徴とする冷凍機内蔵型ショーケース。
【請求項２】
前記通気孔カバーの上部に前記凝縮器用フィルターが挿入される切欠き部が形成され、前記切欠き部から挿入された前記凝縮器用フィルターを前傾姿勢で下方に案内する案内部が前記通気孔カバーの内側に形成されていることを特徴とする請求項１記載の冷凍機内蔵型ショーケース。
【請求項３】
前記通気孔カバーの前記通気孔は、パンチング加工により形成されていることを特徴とする請求項１又は２記載の冷凍機内蔵型ショーケース。
【発明の詳細な説明】
【技術分野】
【０００１】
本発明は、冷凍機ユニットの一部である少なくとも凝縮器と送風機とを収容する架台を有する冷凍機内蔵型ショーケースに関する。
【背景技術】
【０００２】
従来、スーパーマーケットやコンビニエンスストア等の店舗内に設置されている冷蔵、冷凍ショーケースとしては、商品陳列室を有するショーケース本体とその下部に配置される架台とを有し、架台内に冷凍機ユニットの一部である少なくとも凝縮器と送風機とを収容した冷凍機内蔵型ショーケースが知られている。冷凍機内蔵型ショーケースでは、送風機を駆動して店舗内の空気を架台内に吸い込み、吸い込んだ空気を凝縮器に当てることにより凝縮器内での冷媒の凝縮を促進している。
【０００３】
このような冷凍機内蔵型ショーケースの一例としては、下記特許文献１に記載されたものが知られている。
【０００４】
特許文献１に記載された冷凍機内蔵型ショーケースでは、架台の正面に複数の通気孔が形成された通気孔カバーが回動可能に設けられ、通気孔カバーの内側に凝縮器用フィルターが着脱可能に取付けられている。通気孔カバーは、下端側に水平方向を向いた支軸が設けられ、この支軸を中心として、上端側が起立して架台の正面側を閉止する閉止位置と、上端側が架台の手前側に傾いて架台の正面側を開放する開放位置とに回動する。内側に凝縮器用カバーが取付けられた通気孔カバーが閉止位置に回動している場合に送風機を駆動させることにより、店舗内の空気が通気孔と凝縮器用フィルターとを通過して架台内に吸い込まれ、空気中に含まれる塵埃が凝縮器用フィルターに付着して除去され、塵埃を除去された空気が凝縮器や送風機に当たるようになり、凝縮器や送風機への塵埃の付着が防止される。
【０００５】
凝縮器用フィルターに塵埃が付着すると、塵埃の付着量の増加に伴って架台内に吸い込まれる風量が減少し、凝縮器に当たる風量も減少するために冷凍機ユニットの冷凍性能が低下する。そのため、凝縮器用フィルターに一定量の塵埃が付着した場合には、凝縮器用フィルターを清掃して冷凍機ユニットの冷凍性能を回復させる必要がある。凝縮器用フィルターの清掃は、通気孔カバーを開放位置に回動させ、開放位置に回動した通気孔カバーから凝縮器用フィルターを取外し、取外した凝縮器用フィルターを洗浄したり掃除機で吸引したりして行っている。
【先行技術文献】
【特許文献】
【０００６】
【特許文献１】特開２００９−２５７６８９号公報
【発明の概要】
【発明が解決しようとする課題】
【０００７】
しかしながら、特許文献１に記載された冷凍機内蔵型ショーケースでは、凝縮器用フィルターを清掃する場合において、凝縮器用フィルターを通気孔カバーから取外すために、通気孔カバーを固定しているネジ又はフック等を外して通気孔カバーを開放位置に回動させ、ついで、通気孔カバーから凝縮器用フィルターを取外すという二つの作業工程が必要になり、凝縮器用フィルターの清掃に手間がかかっている。このため、凝縮器用フィルターの清掃が先送りされる場合があり、特に、２４時間営業の店舗であって凝縮器用フィルターの清掃に不慣れな店員が業務を行っている場合には、凝縮器用フィルターの清掃の先送りが長時間に及び、冷凍機ユニットの冷凍性能が低下して電力消費量が増大するという事態が発生している。
【０００８】
本発明は、このような課題を解決するためになされたものであり、その目的は、凝縮器用フィルターの清掃を手間をかけず簡単かつ迅速に行うことができる冷凍機内蔵型ショーケースを提供することである。
【課題を解決するための手段】
【０００９】
本発明に係る冷凍機内蔵型ショーケースは、内部に商品陳列室を有するショーケース本体と、このショーケース本体の下部に配置されて内部に冷凍機ユニットの一部である少なくとも凝縮器と送風機とを収容する架台と、この架台の正面に設けられて複数の通気孔が形成された通気孔カバーと、この通気孔カバーの内側に着脱可能に取付けられる凝縮器用フィルターと、を備え、前記凝縮器用フィルターは、上下方向へスライド可能及び上端部が前記架台の手前側に傾いた前傾姿勢で取付けられ、前記凝縮器用フィルターの上端部に、この凝縮器用フィルターをスライドさせて着脱する場合に杷持する把持部が設けられている。
【００１０】
また、前述の冷凍機内蔵型ショーケースにおいて、前記通気孔カバーの上部に前記凝縮器用フィルターが挿入される切欠き部が形成され、前記通気孔カバーの内側にスライドされる前記凝縮器用フィルターを前傾姿勢で下方に案内する案内部が形成されていることが望ましい。
【００１１】
また、前述の冷凍機内蔵型ショーケースにおいて、前記通気孔カバーの前記通気孔は、パンチング加工により形成されていることが望ましい。
【発明の効果】
【００１２】
本発明に係る冷凍機内蔵型ショーケースでは、通気孔カバーに取付けられている凝縮器用フィルターは、上端部が架台の手前側に傾いた前傾姿勢で取付けられ、及び、上下方向へスライド可能に取付けられている。このため、凝縮器用フィルターを清掃するために通気孔カバーから取外す場合には、把持部を把持して凝縮器用フィルターを上方へ引き上げるだけでよく、手間をかけず簡単かつ迅速に取外すことができる。さらに、通気孔カバーに取付けられている凝縮器用フィルターは、上端部が架台の手前側に傾いた前傾姿勢で取付けられているため、冷凍機内蔵型ショーケースの前方に居る顧客が架台側を見下ろした場合、凝縮器用フィルターの表面が通気孔カバーの通気孔から見えにくくなり、凝縮器用フィルターの表面に付着している塵埃が見えにくくなる。従って、凝縮器用フィルターの表面に付着している塵埃が顧客から見えるために店舗内の美観が損なわれるということを防止できる。
【００１３】
また、前記通気孔カバーの上部に凝縮器用フィルターが挿入される切欠き部が形成され、切欠き部から挿入された凝縮器用フィルターを前傾姿勢で下方に案内する案内部が通気孔カバーの内側に形成されているので、清掃した凝縮器用フィルターを通気孔カバーに取付ける作業を簡単かつ迅速に行うことができる。
【００１４】
また、通気孔カバーの通気孔は、パンチング加工により形成されているので、通気孔を形成する作業を手間をかけず低コストで行うことができる。また、通気孔がパンチング加工により形成されていても、通気孔カバーに取付けられている凝縮器用フィルターは、上端部が架台の手前側に傾いた前傾姿勢で取付けられているため、顧客が架台側を見下ろした場合、凝縮器用フィルターに付着している塵埃が通気孔から見えにくくなる。さらに、通気孔がパンチング加工により形成されているため、通気孔に付着した塵埃の清掃を簡単に行うことができ、通気孔に塵埃か付着して店舗内の美観が損なわれるということを防止できる。
【図面の簡単な説明】
【００１５】
【図１】本発明の一実施形態の冷凍機内蔵型ショーケースの一部を断面にして示す正面図である。
【図２】凝縮器用フィルターが通気孔カバーに取付けられている状態の架台を示す断面側面図である。
【図３】凝縮器用フィルターが通気孔カバーから取外されている状態の架台を示す断面側面図である。
【発明を実施するための形態】
【００１６】
本発明の一実施形態の冷凍機内蔵型ショーケースについて、図面に基づいて説明する。図１は、スーパーマーケットやコンビニエンスストア等の店舗内に設置される冷凍機内蔵型ショーケース１の一部を断面にして示す正面図である。この冷凍機内蔵型ショーケース１は、ショーケース本体２とショーケース本体２の下部に配置される架台３とを備えている。
【００１７】
ショーケース本体２の内部には、上方が開放されて商品が陳列される商品陳列室４が形成されている。
【００１８】
架台３の内部には、冷凍機ユニット５が収容されている。この冷凍機ユニット５は、冷媒を圧縮する圧縮機、圧縮された冷媒を凝縮する凝縮器、凝縮された冷媒を断熱膨張させる膨張器、断熱膨張された冷媒を蒸発させる冷却器、凝縮器や冷却器に向けて送風する送風機等により構成されている。圧縮機と凝縮器と膨張器と冷却器とは、冷媒が流れるパイプにより接続されている。送風機が駆動されて冷却器に向けて送風されることにより冷却器に当たった空気が冷却され、冷却された空気が商品陳列室４内に供給されるようになっている。
【００１９】
架台３の正面には通気孔カバー６が取付けられ、通気孔カバー６はネジやボルトを用いて架台３に固定されている。通気孔カバー６には、パンチング加工により複数の通気孔７が形成されている。通気孔カバー６は、冷凍機ユニット５における少なくとも凝縮器に対向する位置に配置されている。通気孔カバー６の内側には、凝縮器用フィルター８が着脱可能に取付けられている。
【００２０】
図２は、凝縮器用フィルター８が通気孔カバー６に取付けられている状態の架台３を示す断面側面図である。通気孔カバー６の内側に取付けられた凝縮器用フィルター８は、上下方向へスライド可能、及び、上端部が架台３の手前側に傾いた前傾姿勢とされている。凝縮器用フィルター８の上端部には、この凝縮器用フィルター８を着脱するために上下方向へスライドさせる場合に杷持する把持部９が設けられている。把持部９は、Ｌ字状に折り曲げて形成されており、その折り曲げの向きは、凝縮器用フィルター８を通気孔カバー６に取付けた場合に架台３の手前側となる向きとされている。
【００２１】
図３は、凝縮器用フィルター８が通気孔カバー６から取外されている状態の架台３を示す断面側面図である。通気孔カバー６の上部には、凝縮器用フィルター８が挿入される切欠き部１０が形成されている。さらに、通気孔カバー６の両側には、切欠き部１０から挿入された凝縮器用フィルター８を下向きにスライドさせる場合に凝縮器用フィルター８の両側を案内する案内部１１が形成されている。
【００２２】
このような構成において、この冷凍機内蔵型ショーケース１では、図１及び図２に示すように、通気孔カバー６の内側に凝縮器用フィルター８を取付けた状態で使用され、冷凍機ユニット５の送風機を駆動することにより店舗内の空気が通気孔カバー６の通気孔７と凝縮器用フィルター８とを通過して架台３内に吸い込まれる。架台３内に吸い込まれた空気は凝縮器に当たり、凝縮器内での冷媒の凝縮が促進される。
【００２３】
店舗内の空気が架台３内に吸い込まれる場合、空気中に含まれる塵埃が凝縮器用フィルター８に付着して除去される。そして、塵埃を除去された清浄な空気が凝縮器や送風機に当たることになり、凝縮器や送風機への塵埃の付着が防止される。
【００２４】
凝縮器用フィルター８に塵埃が付着すると、塵埃の付着量の増加に伴って架台３内に吸い込まれる風量が減少し、凝縮器に当たる風量も減少するために冷凍機ユニット５の冷凍性能が低下する。そのため、凝縮器用フィルター８に一定量の塵埃が付着した場合には、冷凍機ユニット５の冷凍性能を回復させるたに凝縮器用フィルター８を清掃する必要がある。
【００２５】
凝縮器用フィルター８を清掃する場合には、凝縮器用フィルター８の把持部９を把持して凝縮器用フィルター８を上向きに引き上げ、図３に示すように凝縮器用フィルター８を通気孔カバー６から取外す。従って、凝縮器用フィルターを通気孔カバー６から取外す作業、及び、取り外した凝縮器用フィルター８を清掃する作業を、手間をかけず簡単かつ迅速に行うことができる。
【００２６】
清掃が終了した凝縮器用フィルター８を通気孔カバー６の内側に取付ける場合には、凝縮器用フィルター８の下端部を切欠き部１０から挿入し、挿入した凝縮器用フィルター８を案内部１１に沿って下方へスライドさせるだけでよい。従って、通気孔カバー６の内側への凝縮器用フィルター８の取付けを、手間をかけず簡単かつ迅速に行うことができる。
【００２７】
ここで、通気孔カバー６に取付けられている凝縮器用フィルター８は、上端部が架台３の手前側に傾いた前傾姿勢で取付けられている。このため、冷凍機内蔵型ショーケース１の前方に居る顧客が架台３側を見下ろした場合、凝縮器用フィルター８の表面が通気孔カバー６の通気孔７から見えにくくなり、凝縮器用フィルター８の表面に付着している塵埃が顧客から見えにくくなる。従って、凝縮器用フィルター８の表面に付着している塵埃が顧客から見えるために店舗内の美観が損なわれるということを防止できる。
【００２８】
さらに、把持部９は、Ｌ字状に折り曲げて形成され、その折り曲げの向きは、凝縮器用フィルター８を通気孔カバー６に取付けた場合に架台３の手前側となる向きとされている。このため、顧客が架台３側を見下ろした場合、凝縮器用フィルター８の表面に付着している塵埃が顧客からより一層見えにくくなる。従って、凝縮器用フィルター８の表面に付着している塵埃が顧客から見えるために店舗内の美観が損なわれるということを、より一層防止できる。
【００２９】
また、通気孔カバー６の通気孔７は、パンチング加工により形成されているので、通気孔７を形成する作業を手間をかけず低コストで行うことができる。しかも、通気孔７がパンチング加工であって架台３の内部が見えやすい構造であっても、通気孔カバー６に取付けられている凝縮器用フィルター８は、上端部が架台３の手前側に傾いた前傾姿勢で取付けられているため、顧客が架台３側を見下ろした場合に凝縮器用フィルター８の表面に付着している塵埃が通気孔７から見えにくくなっている。また、通気孔７がパンチング加工により形成されているため、通気孔７に塵埃が付着した場合にその塵埃の清掃を簡単に行うことができ、通気孔７に塵埃が付着しているために店舗内の美観が損なわれるということを防止できる。
【００３０】
なお、本実施の形態では、上方が開口された商品陳列室４を有するオープンタイプのショーケース本体２を備えた冷凍機内蔵型ショーケース１を例に挙げて説明したが、本発明は、開閉自在なガラス扉を有するリーチインタイプのショーケース本体を備えた冷凍機内蔵型ショーケースにも適用できるものである。
【符号の説明】
【００３１】
１    冷凍機内蔵型ショーケース
２    ショーケース本体
３    架台
４    商品陳列室
５    冷凍機ユニット
６    通気孔カバー
７    通気孔
８    凝縮器用フィルター
９    把持部
１０    切欠き部
１１    案内部
【図１】
2016109390.tif 000003
【図２】
2016109390.tif 000004
【図３】
2016109390.tif 000005